(57)【要約】【課題】竿体とシートベースとの間に簡単な構造を追加構成することによって、握り込む際の感触や手指での保持力に改善したリールシートを提供する点にある。【解決手段】ブランクス１に弾性変形可能なクッション部材５を取付け、クッション部材５にリールを装着するシートベース３Ａを取付ける。シートベース３Ａにおけるリールを装着するリール載置面３ａとは竿軸線を挟んで反対側に、クッション部材５を表出させる切り欠き部３ｃを形成してある。クッション部材５の軸線方向における両端側に、クッション部材５より硬質の受け止め体６を配置してある。【選択図】図２
2010004838.tif 000002
【特許請求の範囲】
【請求項１】
竿体に弾性変形可能な中間装着体を取付け、前記中間装着体にリールを装着するシートベースを取付け、前記シートベースにおける前記リールを装着するリール載置面とは竿軸線を挟んで反対側に、前記中間装着体を表出させる切り欠き部を形成してあるリールシート。
【請求項２】
前記中間装着体の軸線方向における両端側に、前記中間装着体より硬質の受け止め体を配置してある請求項１記載のリールシート。
【請求項３】
請求項１又は２記載のリールシートを有する釣り竿。
【発明の詳細な説明】
【技術分野】
【０００１】
本発明は、リールを装着するシートベースを備えているリールシートに関する。
【背景技術】
【０００２】
リールシートにおいては、リールを装着するシートベースは、ＡＢＳ樹脂やナイロン、ポリカーボネート等のエンジニアリング樹脂を使用して、硬質な筒状体に構成されている（特許文献１参照）。
【０００３】
【特許文献１】特開２００６−３３７２８号公報（段落番号〔００１０〕〔００１７〕、図３，４）
【発明の開示】
【発明が解決しようとする課題】
【０００４】
手指をリール脚とリールシートとに巻回して釣り操作を行うが、上記のような構成においては、手指が硬質のシートベースを握り込むこととなる。そうすると、長時間に亘って握り込む状態が継続され、かつ、仕掛けの振込みを繰り返し行うことの多い釣りでは、手が圧迫されて、痛みを感じるようになる。
したがって、握り込む際の感触や手指での保持力に改善する余地があった。
【０００５】
本発明の目的は、竿体とシートベースとの間に簡単な構造を追加構成することによって、握り込む際の感触や手指での保持し易さを改善したリールシートを提供する点にある。
【課題を解決するための手段】
【０００６】
〔構成〕
請求項１に係る発明の特徴構成は、竿体に弾性変形可能な中間装着体を取付け、前記中間装着体にリールを装着するシートベースを取付け、前記シートベースにおける前記リールを装着するリール載置面とは竿軸線を挟んで反対側に、前記中間装着体を表出させる切り欠き部を形成してある点にあり、その作用効果は次の通りである。
【０００７】
〔作用〕
弾性変形可能な中間装着体を、竿体とシートベースとの間に介在させた。これによって、リールとシートベースとを伴握りした場合に、中間装着体が弾性変形し、手指に対する圧迫感が弱められる。
しかも、リールとシートベースとを伴握りした場合に、指先部分がシートベースの切り欠き部に掛かって中間装着体を握り込むこととなる。そうすると、指先部分に力を込めて握り込んでも、中間装着体が弾性変形することによって、指先部分に対する反力が緩和されて、痛みを感じることが少なく、握りの状態も安定する。
【０００８】
〔効果〕
竿体とシートベースとの間に中間装着体を介在させ、その中間装着体を弾性変形可能なものとした。これによって、握りの感触を良くし、手指でのリールシートの保持力を向上させることができた。
【０００９】
請求項２に係る発明の特徴構成は、請求項１に係る発明において、前記中間装着体の軸線方向における両端側に、前記中間装着体より硬質の受け止め体を配置してある点にあり、その作用効果は次の通りである。
【００１０】
〔作用効果〕
中間装着体を弾性変形可能なもので構成してあるので、硬質の受け止め体を設けていない場合を想定すると、魚を抜き上げる際に、中間装着体に捻り力が加わり、リールの姿勢が捻れを生ずることとなり、巻き上げ操作に難儀することとなる。
これに対して、硬質の受け止め体を設けた本願発明においては、リールの姿勢に捻れが加わることを抑制でき、巻き上げ操作を円滑に行うことができた。
【００１１】
請求項３に係る発明の特徴構成は、請求項１又は２記載のリールシートを有する釣り竿を構成する点にあり、その作用効果は次の通りである。
【００１２】
〔作用効果〕
このようなリールシートを備えることによって、使い易い釣り竿を提供できるに至った。
【発明を実施するための最良の形態】
【００１３】
〔第１実施形態〕
釣り竿Ａは、竿体としてのブランクス１にフロントグリップ２、リールシート３、リアグリップ６を配置して構成してある。
リールシート３は、図１に示すように、ブランクス１に装着され、竿元側にシートベース３Ａに一体形成された固定フード３Ｂ、竿先側に可動フード３Ｃとナット体４を配置し、固定フード３Ｂの竿軸線Ｘを挟んで反対側にトリガー３Ｄを配置し、シートベース３Ａにおける固定フード３Ｂと可動フード３Ｃとの間にリール脚を載置するリール脚載置面３ａを設けて、リールＢを取付固定するように構成してある。リールシート３は、ナイロン樹脂やＡＢＳ樹脂で成形される。
【００１４】
シートベース３の可動フード３Ｃの装着部分から竿尻側端部に掛けて雄ネジ部３ｂが設けてあり、その雄ネジ部３ｂに可動フード３Ｃを外嵌するとともにナット体４を螺合させてある。
【００１５】
リールシート３の構造について説明する。図２に示すように、リールシート３におけるシートベース３Ａとブランクス１との間には、中間装着体としてクッション部材５がブランクス１に外嵌固定して設けてある。
クッション部材５は、円筒状の部材であり、ＥＶＡ、コルク等の弾性変形可能な材質で構成してある。クッション部材５の竿先側と竿元側とには、クッション部材５より硬質の円盤状の受け止め体６を配置してある。受け止め体６の材質としては、ＰＥＴ等の硬質の合成樹脂、アルミやチタン等の軽量金属が配置してある。
【００１６】
クッション部材５に外嵌されているシートベース３Ａは完全な円筒状を呈しているわけではなく、竿軸線Ｘを挟んでリール脚載置面３ａとは反対側の図面上下向き面においては、切り欠き部３ｃが設けてあり、クッション部材５が切り欠き部３ｃを通して表出している。
切り欠き部３ｃは、側面視において上方に深く切り込まれた部分が二箇所設けてあり、一箇所は、トリガー３Ｄの竿先側に位置する部分であり、二箇所目は、中間に位置する下向き突出部分３ｄを挟んで更に竿先側部分に形成してある。
【００１７】
以上のような構成において、リールシート３とリールＢとを伴握りする場合に、人差し指と中指とが前記二つの切り欠き部３ｃに掛かることとなる。そうすると、強く握り込んだ場合に、人差し指と中指とがクッション部材５に掛かることとなり、手指に掛かる圧力が軽減されて、握りの感触が向上する。
また、リールシート３の全体がクッション部材５を介して取り付けられているので、リールシート３がクッション部材５の変形に連れて変位することから、握りに沿った形状になりやすく、握り状態を保持するグリップ力が向上し、握り込む掌等に対する圧迫感も軽減される。
【００１８】
しかも、このようにクッション部材５が変形しやすいものであるが、クッション部材５の両端に硬質の受け止め体６が装着してあるので、際限なくクッション部材５が変形することは抑制でき、魚を釣り上げる為に巻き上げ操作を行う際に、リールＢが捩れを来たすことがない。
硬質の受け止め体６としては、強化繊維として炭素繊維を含有してプリプレグで構成するものやアルミ、チタン等の硬質材料で形成する。
【００１９】
〔別実施形態〕
（１）  シートベース３Ａに設けた切り欠き部３ｃとしては、二つのうちのいずれか一方でもよく、または、３つにしてもよい。
（２）  前記したリールシートＡを適用する釣竿としては、トリガー３Ｄを有するリールシートだけでなく、スピニングリールを取り付ける筒状のリールシートに適用してもよい。
（３）  前記したリールシートＡを適用する釣竿としては、釣糸ガイドを竿の外面に取り付けた外付け式の釣竿だけでなく、糸挿通経路を竿内に形成する中通し竿にも適用可能である。
【図面の簡単な説明】
【００２０】
【図１】リールを取り付けたリールシートを示す側面図
【図２】シートベースとブランクスとの間にクッション部材を設けた状態を示す縦断側面図
【符号の説明】
【００２１】
１      ブランクス（竿体）
３Ａ    シートベース
３ａ    リール脚載置面
５      クッション部材（中間装着体）
６      受け止め体
【図１】
2010004838.tif 000003
【図２】
2010004838.tif 000004